(57)【要約】【課題】  管（パイプ）にスムースに挿入することができるとともに、管内の空間を有効に活用することができる管内空間分割部材（パイプルーマー）を提供する。【解決手段】  パイプルーマー１０は、パイプ１内に挿入される。パイプルーマー１０は、長手方向に延びた断面Ｔ字形状のパーティション１１と、当該パーティション１１の内部に配置されたワイヤロープ１２とから構成されている。断面Ｔ字形状のパーティション１１は、パイプ１内の空間を３分割する３つの仕切板１１Ａ〜１１Ｃによって形成されている。パイプ１の内面と接触する３つの仕切板１１Ａ〜１１Ｃの端部は、その断面が曲面形状（まるくなるよう）に形成されている。よって、パイプルーマー１０をパイプ１内にスムースに挿入して布設することができる。【選択図】  図１
0003103454.tif 000002
【実用新案登録請求の範囲】
【請求項１】
管の内部に挿入され、当該管の内部を複数のケーブルを布設するための空間に分割する管内空間分割部材であって、
前記管の内部を３つの空間に分割する断面Ｔ字形状で前記管の長手方向に延びる空間分割部と、
当該空間分割部の内部に配置された鋼線を撚った芯線とを備え、
前記管の内面と接触する前記空間分割部の３つの端部の断面が曲面形状である
ことを特徴とする管内空間分割部材。
【請求項２】
管の内部に挿入され、当該管の内部を複数のケーブルを布設するための空間に分割する管内空間分割部材であって、
前記管の内部を４つの空間に分割する断面十字形状で前記管の長手方向に延びる空間分割部と、
当該空間分割部の内部に配置された鋼線を撚った芯線とを備え、
前記管の内面と接触する前記空間分割部の４つの端部の断面が曲面形状である
ことを特徴とする管内空間分割部材。
【請求項３】
空間分割部によって分割された空間内にケーブルを布設するために用いる誘導線を収容する長手方向の中空部が前記空間分割部の端部に形成され、前記中空部に収容された前記誘導線を外に引き出すための誘導線引出部が前記空間分割部の端部に形成されていることを特徴とする請求項１または請求項２記載の管内空間分割部材。
【請求項４】
誘導線引出部は、長手方向に形成された、中空部側から外側に至る割れであることを特徴とする請求項３記載の管内空間分割部材。
【請求項５】
空間分割部の長手方向の側面に、分割された空間を識別可能な線が付されていることを特徴とする請求項１から請求項４のうちのいずれか１項に記載の管内空間分割部材。
【請求項６】
管の内部を複数のケーブルを布設するための空間に分割する管内空間分割部材の端部に取り付けられ、前記管の先端から突出している当該管内空間分割部材の端部が前記管の内部に入り込むことを防止する管内空間分割部材用の移動防止部材であって、
前記管内空間分割部材の端部から前記管の長手方向に露出している芯線を貫通させるための中空部が形成された本体部と、
前記中空部を貫通している前記芯線を挟み込んで固定する固定部と、
前記中空部を貫通している前記芯線を軸として前記本体部の側面から外側に向けて突出した複数の棒状の留め部とを備え、
当該複数の棒状の留め部は、前記本体部から取り外し可能に構成された
ことを特徴とする管内空間分割部材用の移動防止部材。
【請求項７】
複数の棒状の留め部は、本体部にネジ止めされることによって取り外し可能な構成とされていることを特徴とする請求項６記載の管内空間分割部材用の移動防止部材。
【考案の詳細な説明】
【技術分野】
【０００１】
本考案は、管の内部に挿入され、管の内部を複数のケーブルを布設するための空間に分割する管内空間分割部材、および当該管内空間分割部材の端部に取り付けられ、管の先端から突出している管内空間分割部材の端部が管の内部に入り込むことを防止する管内空間分割部材用の移動防止部材に関する。
【背景技術】
【０００２】
一般に、通信線や電力線等のケーブルは、例えば地下に敷設されている配管の中を通される。ここで、１本の配管の中に複数本のケーブルが布設されることがある。このような場合、配管の内部を長手方向の複数の空間に予め分割しておくことにより、複数本のケーブルを１本の配管の中に布設する際に、配管内に既に布設されているケーブルと接触させることなく、各ケーブルの布設や撤去などを行うことが可能となる。管内空間分割部材は、上記したような管内の空間（スペース）を複数のケーブルを布設するための長手方向の空間に分割するために利用される。従来の管内空間分割部材には、配管内の空間を３つの空間に分割する断面Ｙ字形状で配管の長手方向に延びる空間分割部（長手方向に延びた３つの仕切り板がＹ字形状に一体形成された空間分割部）が備えられている。
【０００３】
管内空間分割部材は、ケーブルを布設する前に、配管の内部に挿入される。また、管内空間分割部材が配管の内部に入り込んでしまうと、所定の空間にケーブルを挿入できなくなるおそれがあるため、管内空間分割部材の端部は、配管の先端から所定の長さだけ突き出される。また、ケーブルを布設するときなどに、管内空間分割部材がケーブルとともに移動し、配管の内部に入り込んでしまうのを防止するために、管内空間分割部材の端部には、管内空間分割部材の移動を防止する移動防止部材が取り付けられる。移動防止部材には、配管の外径よりも十分に長い、配管の径方向に延びた複数の棒状の留め部が設けられている。管内空間分割部材が配管の内部の方向に移動すると、複数の棒状の留め部が配管の端部の縁に引っ掛かることによって、管内空間分割部材が配管の内部に入り込むことを防止する。
【考案の開示】
【考案が解決しようとする課題】
【０００４】
管内空間分割部材を配管の内部に挿入する際に、配管の内面と管内空間分割部材における空間分割部の端部との接触により摩擦力が生じるため、管内空間分割部材を強く引っ張り込まなければ配管内に挿入することができない。特に、配管が数百メートルにも及ぶ場合には、大きな引張力が必要となる。従来の管内空間分割部材においては、配管の内面と接触する空間分割部の端部の形状について考慮されていないため、管内空間分割部材を配管内にスムースに挿入して布設することができないという問題があった。また、配管内になるべく多くのケーブルを布設可能であることが好ましいが、従来の管内空間分割部材においては、管内スペースの有効活用について考慮されていなかった。
【０００５】
また、配管の径の大きさは様々であるが、移動防止部材に設けられている配管の径方向に延びた複数の棒状の留め部が、配管の径の大きさよりもあまりに長いと、例えば配管が隣接して配置されているような場合に、留め部が他の配管へのケーブルの布設の邪魔になってしまう。
【０００６】
そこで、本考案は、上記のような課題を解決するために、管にスムースに挿入することができるとともに、管内の空間を有効に活用することができる管内空間分割部材を提供することを目的とする。
【０００７】
また、本考案は、留め部の長さを管の径の大きさ等に合わせて最適な長さに変更することができる管内空間分割部材用の移動防止部材を提供することを目的とする。
【課題を解決するための手段】
【０００８】
以上のような目的を実現するため、本考案による管内空間分割部材は、管の内部を３つの空間に分割する断面Ｔ字形状で管の長手方向に延びる空間分割部と、当該空間分割部の内部に配置された鋼線を撚った芯線とを備え、管の内面と接触する空間分割部の３つの端部の断面が曲面形状であることを特徴とする。
【０００９】
また、他の構成の管内空間分割部材は、管の内部を４つの空間に分割する断面十字形状で管の長手方向に延びる空間分割部と、当該空間分割部の内部に配置された鋼線を撚った芯線とを備え、管の内面と接触する空間分割部の４つの端部の断面が曲面形状であることを特徴とする。
【００１０】
空間分割部によって分割された空間内にケーブルを布設するために用いる誘導線を収容する長手方向の中空部が空間分割部の端部に形成され、中空部に収容された誘導線を外に引き出すための誘導線引出部が空間分割部の端部に形成されていてもよい。
【００１１】
誘導線引出部は、長手方向に形成された、中空部側から外側に至る割れであるのが好ましい。
【００１２】
空間分割部の長手方向の側面に、分割された空間を識別可能な線が付されているのが好ましい。
【００１３】
また、本考案による管内空間分割部材用の移動防止部材は、管内空間分割部材の端部から管の長手方向に露出している芯線を貫通させるための中空部が形成された本体部と、中空部を貫通している芯線を挟み込んで固定する固定部と、中空部を貫通している芯線を軸として本体部の側面から外側に向けて突出した複数の棒状の留め部とを備え、当該複数の棒状の留め部は、本体部から取り外し可能に構成されたことを特徴とする。
【００１４】
複数の棒状の留め部は、本体部にネジ止めされることによって取り外し可能な構成とされているのが好ましい。
【考案の効果】
【００１５】
本考案によれば、管の内部を３つの空間に分割する断面Ｔ字形状で管の長手方向に延びる空間分割部と、当該空間分割部の内部に配置された鋼線を撚った芯線とを備え、管の内面と接触する空間分割部の３つの端部の断面が曲面形状とされているので、管の内部に管内空間分割部材を挿入するときの摩擦力が小さくなる。その結果、管内空間分割部材を引っ張る力が弱くてもよく、管内空間分割部材をスムースに管の内部に挿入することができるようになる。また、空間分割部が断面Ｔ字形状に形成されているので、管の内部を広い空間と狭い空間とに分割することができる。そして、広い空間にケーブルを布設しても未だ空きスペースがあるため、その空きスペースにケーブル（細いケーブル）を布設することが可能となり、管内スペースを有効に活用することができるようになる。
【００１６】
また、本考案によれば、管の内部を４つの空間に分割する断面十字形状で管の長手方向に延びる空間分割部と、当該空間分割部の内部に配置された鋼線を撚った芯線とを備え、管の内面と接触する空間分割部の４つの端部の断面が曲面形状とされているので、管の内部に管内空間分割部材を挿入するときの摩擦力が小さくなる。その結果、管内空間分割部材を引っ張る力が弱くてもよく、管内空間分割部材をスムースに管の内部に挿入することができるようになる。また、空間分割部が断面十字形状に形成されているので、管の内部に４本のケーブルを布設することができ、管内スペースを有効に活用することができるようになる。
【００１７】
また、本考案によれば、空間分割部によって分割された空間内にケーブルを布設するために用いる誘導線を収容する長手方向の中空部が空間分割部の端部に形成され、中空部に収容された誘導線を外に引き出すための誘導線引出部が空間分割部の端部に形成されているので、管内空間分割部材の施工時における作業工程が減少し、作業者の負担を軽減させることができる。
【００１８】
また、本考案によれば、誘導線引出部が、長手方向に形成された、中空部側から外側に至る割れであるので、中空部に収容された誘導線が意図せずに外に飛び出してしまうことがなくなるとともに、管内空間分割部材の製造時における誘導線引出部の形成も容易になる。
【００１９】
また、本考案によれば、空間分割部の長手方向の側面に、分割された空間を識別可能な線が付されているので、施工時においてケーブルを挿入すべきでない空間にケーブルを挿入されてしまうようなミスが発生するのを防止することができるようになる。
【００２０】
また、本考案によれば、管内空間分割部材の端部から管の長手方向に露出している芯線を貫通させるための中空部が形成された本体部と、中空部を貫通している芯線を挟み込んで固定する固定部と、中空部を貫通している芯線を軸として本体部の側面から外側に向けて突出した複数の棒状の留め部とを備え、当該複数の棒状の留め部が、本体部から取り外し可能に構成されているので、管の径の大きさや管の中心位置からの芯線の位置のずれに合わせて棒状の留め部の長さを容易に変更することができる。
【００２１】
また、本考案によれば、複数の棒状の留め部が、本体部にネジ止めされることによって取り外し可能な構成とされているので、棒状の留め部を本体部から容易に取り外すことができる。
【考案を実施するための最良の形態】
【００２２】
実施の形態１．
以下、本考案の管内空間分割部材および管内空間分割部材用の移動防止部材について図面を参照して説明する。
【００２３】
図１は、本考案の管内空間分割部材の構成例を示す断面図である。また、図２は、本考案の管内空間分割部材の構成例を示す斜視図である。なお、図１および図２において、（Ａ）は、管内の空間を３分割する断面がＴ字形状の空間分割部を備えた管内空間分割部材を示し、（Ｂ）は、管内の空間を４分割する断面が正十字形状の空間分割部を備えた管内空間分割部材を示している。
【００２４】
なお、この実施の形態において、管（配管あるいは管路）のことをパイプという。また、管内空間分割部材のことをパイプルーマー（パイプ内の空間を複数の空間（部屋）に仕切る部材の意味）といい、空間分割部のことをパーティションという。また、パイプ内に布設されるケーブルとして光ケーブルを想定している。
【００２５】
まず、図１（Ａ）および図２（Ａ）を参照してＴ３分割のパイプルーマーの構成について説明する。図１（Ａ）に示すように、パイプルーマー１０は、例えば地中に埋設されているパイプ１内に挿入される。パイプルーマー１０は、長手方向に延びた断面Ｔ字形状のパーティション１１と、当該パーティション１１の内部に配置された鋼線を撚ったワイヤロープ１２とから構成されている。パーティション１１は、塩化ビニル等のプラスチック材料をＴ字形状の穴のあいた型（例えば金型）を用いて押出成形することにより形成される。また、パーティション１１を押出成形するときに、ワイヤロープ１２がパーティション１１の内部に配置されることにより、パーティション１１とワイヤロープ１２とが一体形成される。なお、押出成形によらずに、引出成形によってパーティション１１を形成してもよい。パイプルーマー１０の長手方向の長さは、パイプ１の長さよりも十分に長い長さであればよい。例えば数百メートルとされる。
【００２６】
図１（Ａ）および図２（Ａ）に示すように、断面Ｔ字形状のパーティション１１は、パイプ１内の空間を３分割する３つの仕切板１１Ａ〜１１Ｃによって形成されている。各仕切板１１Ａ〜１１Ｃの径方向の長さは、パーティション１１がパイプ１内に挿入可能となるように、少なくともパイプ１の内径よりも短くなるように設定される。各仕切板１１Ａ〜１１Ｃの径方向の長さは、それぞれ異なる長さであってもよい。図１（Ａ）に示す例では、仕切板１１Ｂの長さが仕切板１１Ａ，１１Ｃよりも短く設定されている。各仕切板１１Ａ〜１１Ｃの長さを変更することにより、分割される空間の広さを調整することができる。
【００２７】
図１（Ａ）および図２（Ａ）に示すように、パイプ１の内面と接触する３つの仕切板１１Ａ〜１１Ｃの端部は、その断面が曲面形状（まるくなるよう）に形成されている。従って、各仕切板１１Ａ〜１１Ｃの端部がパイプ１の内面に引っ掛からず、また、パイプ１の内面と各仕切板１１Ａ〜１１Ｃの端部との接触面積が小さくなり、摩擦力も小さくなる。よって、パイプルーマー１０をパイプ１内に挿入するときのパイプルーマー１０を引っ張る力を小さくすることができ、パイプルーマー１０をパイプ１内にスムースに挿入して布設することができるようになる。
【００２８】
３つの仕切板１１Ａ〜１１Ｃの付け根の位置にワイヤロープ１２が通されている。このワイヤロープ１２には、後述するように、巻付グリップが取り付けられる（図３参照）。
【００２９】
パーティション１１における３つの仕切板１１Ａ〜１１Ｃによって、パイプ１内部の空間が長手方向の３つの空間に分割される（仕切られる）。パーティション１１が断面Ｔ字形状であり、また、図１（Ａ）に示す例では仕切板１１Ｂの長さが仕切板１１Ａ，１１Ｃよりも短いので、分割されたパイプ１内の空間は、１つの広い（大きい）空間と２つの狭い（小さい）空間となっている。広い空間には、径の大きなケーブル３１を挿入することができ、２つの狭い空間には、ケーブル３１よりも径の小さなケーブル３２，３３を挿入することができる。また、広い空間にケーブル３１を挿入しても、図１（Ａ）に示すように、ケーブルを布設することができる空間が余っている。従って、その空間（あきスペース）に小さな径のケーブル３４，３５を挿入することもできる。よって、パイプ１内部の空間（スペース）を有効に活用することができるようになる。なお、広い空間に径の大きなケーブル３１を挿入せずに、径の小さなケーブルを挿入してもよい。
【００３０】
なお、パイプルーマー１０を構成するパーティション１１が断面Ｔ字形状に形成されていることにより、パーティション１１の重心がパイプ１の中心よりも下側にくるので、パイプルーマー１０の布設時に撚れずに安定してパイプルーマー１０をパイプ１内に挿入することができるものと考えられる。
【００３１】
次に、図１（Ｂ）および図２（Ｂ）を参照して正十字分割のパイプルーマーの構成について説明する。図１（Ｂ）に示すように、パイプルーマー２０は、パイプ１内に挿入される。パイプルーマー２０は、長手方向に延びた断面正十字形状のパーティション２１と、当該パーティション２１の内部に配置された鋼線を撚ったワイヤロープ２２とから構成されている。パーティション２１も、上記したパーティション１１と同様に、塩化ビニル等のプラスチック材料を十字形状の穴のあいた型（例えば金型）を用いて成形（押出成形または引出成形）することにより形成される。また、パーティション２１を成形するときに、ワイヤロープ２２がパーティション２１の内部に配置されることにより、パーティション２１とワイヤロープ２２とが一体形成される。パイプルーマー２０の長手方向の長さも、例えば数百メートルとされる。
【００３２】
図１（Ｂ）および図２（Ｂ）に示すように、断面正十字形状のパーティション２１は、パイプ１内の空間を４分割する４つの仕切板２１Ａ〜２１Ｄによって形成されている。各仕切板２１Ａ〜２１Ｄの径方向の長さは、パーティション２１がパイプ１内に挿入可能となるように、少なくともパイプ１の内径よりも短くなるように設定される。なお、図１（Ｂ）および図２（Ｂ）に示すパーティション２１は、断面正十字形状に形成されているが（すなわち各仕切板２１Ａ〜２１Ｄの径方向の長さが同じ長さとされているが）、各仕切板の径方向の長さが、それぞれ異なる長さとされていてもよい。
【００３３】
図１（Ｂ）および図２（Ｂ）に示すように、パイプ１の内面と接触する４つの仕切板２１Ａ〜２１Ｄの端部は、その断面が曲面形状（まるくなるよう）に形成されている。従って、上述したパーティション１１と同様に、各仕切板２１Ａ〜２１Ｄの端部がパイプ１の内面に引っ掛からず、また、パイプ１の内面と各仕切板２１Ａ〜２１Ｄの端部との接触面積が小さくなり、摩擦力も小さくなる。よって、パイプルーマー２０をパイプ１内に挿入するときのパイプルーマー２０を引っ張る力を小さくすることができ、パイプルーマー２０をパイプ１内にスムースに挿入して布設することができるようになる。
【００３４】
４つの仕切板２１Ａ〜２１Ｄの付け根の位置（正十字の中心位置）にワイヤロープ２２が通されている。このワイヤロープ２２には、後述するように、巻付グリップが取り付けられる（図３参照）。
【００３５】
パーティション２１における４つの仕切板２１Ａ〜２１Ｄによって、パイプ１内部の空間が長手方向の４つの空間に分割される（仕切られる）。図１（Ｂ）に示す例ではパーティション２１が断面正十字形状であるので、分割されたパイプ１内の空間は、同じ広さの４つの空間に分割されている。そして、各空間に４つのケーブル４１〜４４を挿入することができる。ここで、例えば断面Ｙ字形状のパーティション（図示せず）によってパイプ１内を３つの空間に分割した場合よりも、図１（Ｂ）に示すような断面十字形状のパーティション２１によってパイプ１内を４つの空間に分割した場合の方が、空間にケーブルを挿入した後の空間におけるあきスペースは狭くなる。よって、パイプ１内の空間（スペース）を有効に活用することができることになる。
【００３６】
図１（Ｂ）および図２（Ｂ）に示すように、パーティション２１における各仕切板２１Ａ〜２１Ｄの側面に、分割された空間を識別するための長手方向の線が付されている。図１（Ｂ）および図２（Ｂ）に示す例では、仕切板２１Ａには１本線が付され、仕切板２１Ｂには２本線が付され、仕切板２１Ｃには３本線が付され、仕切板２１Ｄには４本線が付されている。これらの線によって、作業者はケーブルを挿入すべき空間を認識することができ、施工時においてケーブルを挿入すべきでない空間にケーブルを挿入されてしまうようなミスが発生するのを防止することができる。なお、線は作業者が認識できるものであればよく、塗料などで塗られても、溝などが形成されてもよい。また、線の数も１本〜４本に限られず任意の数であってもよい。なお、図１（Ａ）および図２（Ａ）に示すように、パーティション１１には線が付されていないが、これは、パーティション１１は断面Ｔ字形状であるので、線が付されていなくても分割された各空間を識別することができると考えられるからである。ただし、パーティション１１にもパーティション２１のような線を付してもよい。
【００３７】
次に、図３を参照してパイプルーマー１０，２０の施工方法について説明する。図３は、管内空間分割部材の施工方法を説明するための説明図である。なお、図３では、図１（Ａ）および図２（Ａ）に示したパイプルーマー１０をパイプ１内に布設する際の施工方法を示している。
【００３８】
図３に示すように、パイプ１が地下に敷設されている。まず、作業者は、通線器（イエローロープ）を用いて牽引ロープ２をパイプ１内に挿入する。または、作業者は、パイプ１の径一杯になるようなパラシュートで細いロープ（図示せず）を飛ばし、そのロープをパイプ１内に挿入する。そして、細いロープの末端に牽引ロープ２を取り付けて、細いロープを引っ張ることにより牽引ロープ２をパイプ１内に引き入れる。牽引ロープ２にはナイロンロープ等が用いられる。
【００３９】
パイプルーマー１０は、パイプ１が敷設されている場所に木製の巻枠６によって搬入される。パイプルーマー１０の先端から所定の長さ（例えば５０ｃｍ）パーティション１１を剥ぎ取り、ワイヤロープ１２を露出させる。そして、ワイヤロープ１２に巻付グリップ５を取り付ける。パイプ１内に先に挿入した牽引ロープ２に撚戻し器（図示せず）を取り付け、その撚戻し器を巻付グリップ５につなげる。撚戻し器は、パイプ１内への挿入時にパイプルーマー１０が撚らないように（ひねらないように）調整するものである。後でケーブル３１〜３３を牽引するための３本の捨て線７をパイプルーマー１０に沿わせる。捨て線７はパイプルーマー１０とともにパイプ１内に挿入される。なお、捨て線７は、後から通線器等を用いてパイプ１内に挿入されてもよい。
【００４０】
作業者は、牽引ロープ２を金串３に通した後にウインチ４につなぐ。そして、ウインチ４で牽引ロープ２を牽引し、パイプルーマー１０をパイプ１内に引き込む。パイプ１内へのパイプルーマー１０の布設が完了すると、パイプ１の先端から所定の長さ（例えば２０ｃｍ）だけ突出させてパイプルーマー１０を切断する。そして、パイプ１の先端から突出したパイプルーマー１０の端部に、パイプルーマー１０の移動を防止するための移動防止部材（図４、図５参照）を取り付ける。
【００４１】
その後、ケーブル（ケーブル３１〜３３のうちのいずれか１本であってもよい）をパイプ１内に布設する場合は、ケーブルに捨て線７を接続し、捨て線７を引っ張ることによりケーブルをパイプ１内のパイプルーマー１０で分割された空間に挿入することができる。
【００４２】
次に、図４および図５を参照して管内空間分割部材用の移動防止部材の構成について説明する。図４は、本考案の移動防止部材の構成例を示す平面図および正面図である。図５は、丸棒状の留め部を示す詳細図である。なお、この実施の形態において、移動防止部材のことをストッパという。
【００４３】
図４に示すように、ストッパ５０は、本体部５１、固定ネジ５２Ａ，５２Ｂ、ボルト５３Ａ〜５３Ｃおよびナット５４Ａ〜５４Ｃから構成されている。６角柱形状の本体部５１には、その内部が軸方向に円柱形状に刳り貫かれた中空の貫通部５１ａが形成されている。貫通部５１ａは、パイプルーマー１０，２０（パイプルーマー１０または２０）の先端から露出したワイヤロープ１２，２２が貫通する部分である。従って、貫通部５１ａの内径がワイヤロープ１２，２２の外形よりも大きくなるように貫通部５１ａが形成されている。本体部５１には、貫通部５１ａを貫通するワイヤロープ１２，２２を挟み込んで固定する固定ネジ５２Ａ，５２Ｂが設けられている。固定ネジ５２Ａ，５２Ｂは、本体部５１の側面から内部の貫通部５１ａに貫通しており、回転させられることにより本体部５１の軸心方向に進入する。ワイヤロープ１２，２２が貫通部５１ａに通されている状態において、固定ネジ５２Ａ，５２Ｂが回転して貫通部５１ａ内に進入し、ワイヤロープ１２，２２に押し圧をかけることにより、ワイヤロープ１２，２２を本体部５１に固定する。
【００４４】
また、本体部５１には、当該本体部５１の側面から外側に向けて突き出た３つの留め部が本体部５１から取り外し可能に設けられている。３つの留め部は、それぞれ、図５に示すような金属丸棒の一端にネジ５５を切ったボルト５３Ａ〜５３Ｃと、ボルト５３Ａ〜５３Ｃにはめて本体部５１を締め付ける６角形状のナット５４Ａ〜５４Ｃとから構成されている。このように、ボルト５３Ａ〜５３Ｃおよびナット５４Ａ〜５４Ｃにて本体部５１にネジ止めされる構成とされているので、留め部が本体部５１から取り外し可能となっている。図４に示した例では、留め部は、本体部５１の中心軸からほぼ等角度の間隔で外側に突き出るように配置されている。すなわち、本体部５１の上面側から見た場合（平面図で見た場合）にＹ字形状となるように配置されている。しかし、このような形状に配置する場合に限られず、取り付けられるパイプルーマー１０，２０の断面形状に合わせてＴ字形状や十字形状に配置されるのが好ましい。ケーブルの布設の邪魔にならないようにするためである。
【００４５】
留め部におけるボルト５３Ａ〜５３Ｃの長さは、パイプルーマー１０，２０がパイプ１の内部の方向に移動したときに、ボルト５３Ａ〜５３Ｃがパイプ１の端部の縁に引っ掛かるのに十分な長さとされる。このような長さは、パイプ１の径の大きさや、ワイヤロープ１２の位置とパイプ１の中心位置とのずれの大きさによって異なる。この実施の形態においては、留め部が５１から取り外し可能に構成されているので、異なる長さのボルトを予め用意しておき、パイプ１の径の大きさ等に合わせて所定の長さのボルトを本体部５１に取り付けることで、ボルトの長さを最適な長さに調整することが可能である。
【００４６】
ストッパ５０をパイプルーマー２０に取り付けた状態を図６に示す。図６に示すように、ワイヤロープ２２が本体部５１の貫通部５１ａを貫通し、固定ネジ５２Ａ，５２Ｂでネジ止め固定されている。また、本体部５１から外側に向けて３本の留め部が延びている。３本の留め部を構成するボルト５３Ａ〜５３Ｃの先端が、パイプ１の外径よりも外側にくるようにボルト５３Ａ〜５３Ｃの長さが調整されている。なお、上述したストッパ５０は金属製であるが、金属以外の材料で形成してもよい。
【００４７】
実施の形態２．
図７は、本考案の管内空間分割部材の他の構成例を示す断面図である。図７（Ａ）には、Ｔ３分割のパイプルーマー６０が示され、図７（Ｂ）には正十字分割のパイプルーマー７０が示されている。図７（Ａ）に示すように、パイプルーマー６０において、パーティション６１の仕切板６１Ａ〜６１Ｃの端部には、それぞれ、内部が中空である円筒形状の円筒部６３Ａ〜６３Ｃが長手方向に形成されている。円筒部６３Ａ〜６３Ｃの中空部には、パーティション６１によって分割された空間内にケーブルを布設するために用いる捨て線７（図３参照）が収容されている。また、円筒部６３Ａ〜６３Ｃには、中空部側から外側に至る割れ６４Ａ〜６４Ｃが長手方向に形成されている。割れ６４Ａ〜６４Ｃは、円筒部６３Ａ〜６４Ｃの中空部に収容された捨て線７を中空部の外に引き出すために設けられている。
【００４８】
図７（Ｂ）に示すように、パイプルーマー７０においても同様に、パーティション７１の仕切板７１Ａ〜７１Ｄの端部には、それぞれ、内部が中空である円筒形状の円筒部７３Ａ〜７３Ｄが長手方向に形成されている。円筒部７３Ａ〜７３Ｄの中空部には、パーティション７１によって分割された空間内にケーブルを布設するために用いる捨て線７が収容されている。また、円筒部７３Ａ〜７３Ｄには、中空部側から外側に至る割れ７４Ａ〜７４Ｄが長手方向に形成されている。割れ７４Ａ〜７４Ｄは、円筒部７３Ａ〜７３Ｄの中空部に収容された捨て線７を中空部の外に引き出すために設けられている。
【００４９】
パイプルーマー６０，７０における円筒部６３Ａ〜６３Ｃ，７３Ａ〜７３Ｄおよび割れ６４Ａ〜６４Ｃ，７４Ａ〜７４Ｄは、型を用いた成形（押出成形または引出成形）によって形成される。また、捨て線７は成形時に収容される。
【００５０】
なお、パイプルーマー６０，７０の他の構成については、図１および図２に示したパイプルーマー１０，２０の構成と同様であるので、重複する説明を省略する。
【００５１】
図３で説明したように、複数の捨て線７は、パイプルーマー１０，２０をパイプ１内に布設するときに、パイプルーマー１０，２０とともに、分割された空間内に挿入される。このとき、捨て線７がクロスしないように慎重に挿入しなければならない。従って、捨て線７と一緒にパイプルーマー１０，２０を挿入する作業負担が大きくなる。また、パイプルーマー１０，２０をパイプ１に挿入した後、通線器等を用いて捨て線７を空間内に挿入する場合は、その分だけ作業工程が増えてしまう。
【００５２】
一方、図７に示したパイプルーマー６０，７０を利用すれば、パイプルーマー６０，７０をパイプ１に挿入すると、複数本の捨て線７も挿入された状態となる。そして、その後にケーブルを布設する際に、円筒部に収容されている捨て線７を割れを介して円筒部から引き出し、引き出した捨て線７をケーブルを布設する空間内に導くだけでよい。このように、パイプルーマー６０，７０を利用することにより、作業負担を大幅に削減することができることになる。
【００５３】
なお、円筒部に形成された捨て線を引き出すための引出部が割れとされているので、パイプルーマー６０，７０の布設時に円筒部の中空部に収容された捨て線７が意図せずに外に飛び出してしまうことがなくなる。また、パイプルーマー６０，７０の製造時における割れの形成も容易である。
【００５４】
なお、パイプルーマー６０，７０には、パイプルーマー２０と異なりパーティション６１，７１の側面に各空間を識別するための線が付されていないが、線を付しておくのが好ましい。また、円筒部（すなわち捨て線７を収容する部分）は、パーティション６１，７１の端部に形成されているが、端部以外の部分（例えば中心部）に形成されていてもよい。なお、円筒部がパーティション６１，７１の端部に形成されていることによって、端部の断面が曲面形状になっている。また、パイプルーマー６０，７０において、円筒部に捨て線７を引き出すための割れを形成していたが、割れ以外の例えば切り欠き等が形成されていてもよい。また、図７に示すように、割れは、円筒部の先端部に形成されているが、先端部以外の部分に形成されていてもよい。
【００５５】
上記の実施の形態において、管内空間分割部材と移動防止部材とを別の部材としてとらえていたが、移動防止部材を管内空間分割部材の一部の部材、すなわち移動防止部材を管内空間分割部材に取り付けられた状態を一体化された管内空間分割部材としてとらえることも可能である。この場合は、移動防止部材が管内空間分割部材の一構成要素となる。
【産業上の利用可能性】
【００５６】
本考案は、管に複数のケーブルを布設する前に、管内の空間を予め複数のケーブルを布設するための空間に分割するために用いられ、特にケーブルの布設作業を容易にするのに有用である。
【図面の簡単な説明】
【００５７】
【図１】本考案の管内空間分割部材の構成例を示す断面図である。
【図２】本考案の管内空間分割部材の構成例を示す斜視図である。。
【図３】管内空間分割部材の施工方法を説明するための説明図である。
【図４】本考案の移動防止部材の構成例を示す平面図および正面図である。
【図５】丸棒状の留め部を示す詳細図である。
【図６】管内空間分割部材への移動防止部材の取付状態を示す説明図である。
【図７】本考案の管内空間分割部材の他の構成例を示す断面図である。
【符号の説明】
【００５８】
１  パイプ（管、配管）
７  捨て線（誘導線）
１０，２０，６０，７０  パイプルーマー（管内空間分割部材）
１１，２１，６１，７１  パーティション（空間分割部）
１１Ａ〜１１Ｃ，２１Ａ〜２１Ｄ，６１Ａ〜６１Ｃ，７１Ａ〜７１Ｄ  仕切板
１２，２２，６２，７２  ワイヤロープ
３１〜３５，４１〜４４  ケーブル
５０  ストッパ（移動防止部材）
５１  本体部
５１ａ  貫通部（中空部）
５２Ａ，５２Ｂ  固定ネジ（固定部）
５３Ａ〜５３Ｃ  ボルト（留め部）
５４Ａ〜５４Ｃ  ナット（留め部）
６３Ａ〜６３Ｃ，７３Ａ〜７３Ｄ  円筒部（中空部）
６４Ａ〜６４Ｃ，７４Ａ〜７４Ｄ  割れ（誘導線引出部）
【図１】
0003103454.tif 000003
【図２】
0003103454.tif 000004
【図３】
0003103454.tif 000005
【図４】
0003103454.tif 000006
【図５】
0003103454.tif 000007
【図６】
0003103454.tif 000008
【図７】
0003103454.tif 000009